(57)【特許請求の範囲】
【請求項１】
筒状の筒１と、それを回転させるためのモーター５、回転輪６、ベルト７などからなる駆動系、投入口３、架台４、排出口１１から構成され、円筒状の筒１の片方を投入口３とし、その反対側を排出口１１とし、土付きの根を投入口３から投入し、根から土を分離した根を排出口１１に送り出す土分離装置であって、表面に多数の穴２のある円筒状の筒１の内面に、複数の鉤状の金属棒Ａを固着した取付け板９を設けた筒１を回転させ、鉤状の金属棒Ａで引っ掛けて筒１に入れた土付きの根を持ち上げ、頂上付近で、土付きの根が鉤状の金属棒Ａから外れ落ちて、筒１の底に当たって土が分離することを繰り返すことにより、土を穴２から下に落とし、土付きの根から土を分離し、筒１が回転する事により、土付きの根が持ち上げられて、落下したときに突き刺して、より土を分離できるように、円筒状の筒１の内面に、複数の金属棒Ｃを固着した取付け板９を設け、土付きの根から土を分離し、筒１が回転する事により、円筒状の筒１の内面に、土付きの根を排出口に導くように、複数の、回転軸に対して斜めに取り付けた金属板Ｂと金属棒Ａと金属棒Ｃを取付け板９に固着し、それぞれ螺旋状に配置する事によって、投入口から排出口へ導いている間に、竹の根から、土や石を分離する土分離装置。
【発明の詳細な説明】
【技術分野】
【０００１】
この発明は造成地等の竹林等において、竹や樹木等は産業廃棄物となり適正に処理をしなければならない。地上部の竹や樹木等の処理は比較的容易であるが、地下部の根において、特に竹の根の部分においては細い根が絡み合って大量の土や石等が付いている。これを処理するにあたり竹等の根と土等を分離する土分離装置に関するものである。
【背景技術】
【０００２】
竹・樹木等の根は産業廃棄物となり、クラッシャー等の機械で土が付いた根を処理するが、処理しなければならない量が多いため処理しきれていない。また水槽のある場所に持ち込み土を洗い流している。
【０００３】
現在は土の付いた根を砕いて分離するか、水で洗い流しているのが現状である。前者は効率が悪く、また土・石等があるため機械の消耗も激しい。後者は大量の水を必要とし、その後の泥と濁った水の処理も困難である。
【先行技術文献】
【特許文献】
【０００４】
【特許文献１】特開２００４−３２９００４公報
【発明の概要】
【発明が解決しようとする課題】
【０００５】
現在、土の付いた根を処理場まで持ち込みその根の処理後、産廃となる土をも処理しなければならなかった。本発明は、造成地等の現場で土を落とし軽くした根のみの搬出を可能にする事を目的とする。
【課題を解決するための手段】
【０００６】
円筒状の筒１と、その筒の表面に回転輪６を当接・駆動する土分離装置であって、筒１は円筒状で、表面に多数の穴２と、筒１の内面には、鉤状に曲げた金属棒Aや金属板Bや金属棒C等、複数の突起物を螺旋状に配置し、筒の回転により、筒１に投入した土付きの根を、鉤状の金属棒Aが引っ掛けて、上に持ち上げ、頂上付近で、土付きの根が鉤状の金属棒Aから外れ落ちた時金属棒Cに突き刺さり、土が分離することを繰り返しながら、土を穴２から下に落とし、土が落とされた根を斜めに取り付けた金属板Bにより筒の排出口11に導いて、土付きの根から土を分離する土分離装置。
【０００７】
円筒状の筒１の中心部に回転体10を設け、金属板Ｄや金属棒Ｅの突起物を取付けた回転体10と同時に筒１を回転駆動させる土分離装置であって、筒１は円筒状で、表面に多数の穴２と、筒１の内面には、鉤状に曲げた金属棒Aや金属板Bや金属棒C等、複数の突起物を螺旋状に配置し、金属板Ｄや金属棒Ｅを取付けた回転体10と筒１を同時に回転させる事により、筒１に投入した土付きの根を、鉤状に曲げた金属棒Aが引っ掛けて、上に持ち上げ、頂上付近で、土付きの根が鉤状の金属棒Aから外れ落ちた時、金属棒Cに突き刺さり、なおかつ回転体10に取付けた金属板Ｄや金属棒Ｅ当たって、根と土が分離することを繰り返し、より早く確実に、土を穴２から下に落とし、土が落とされた根を筒の排出口11に導き、土付きの根から土を分離する土分離装置。
【発明の効果】
【０００８】
現在、造成地から出る土の付いた根、特に竹の根においては量も膨大であり土の付いた根は重量もあり処理場までの運賃もかさみ、処理後の土又は根を再度最終処理場へ運搬しなければならなかった。この装置を動力源と共に造成地の現場に持ち込んで処理をする事により軽くなった根だけを最終処理場へ持ち込める。
【図面の簡単な説明】
【０００９】
【図１】本発明の中心部に回転軸のない土分離装置の構成
【図２】図１の側面図
【図３】筒１の斜視図
【図４】本発明の中心部に回転軸がある土分離装置の構成
【発明を実施するための形態】
【００１０】
本発明の実施の形態を図１~図４で説明する。
図１から図３は、本発明の第１の実施例である中心部に回転軸のない土分離装置の構成を示す。
本発明の土分離装置は、円筒状の筒１と、それを回転させるためのモーター５、回転輪６、ベルト７などからなる駆動系、投入口３、架台４、排出口１１から構成する。
円筒状の筒１の片方を投入口３とし、その反対側を排出口１１とする。土付きの根を投入口３から投入し、土付きの根から土を分離した根を排出口１１に送り出す。
筒１は円筒状で、複数の穴２を設け、内側には、土付きの根を持ち上げるため鉤状の金属棒Ａ、持ち上げて落下した時、根を突き刺して土を分離しやすくするための金属棒Cを、土付き根から土を落としながら出口へ導くために筒の長手方向に対して斜めに付けられた金属板Bを、それぞれ複数、螺旋状に配置している。
鉤状に曲げた金属棒Aは、取付け板９に溶接等で固着し、金属板Bは、斜めになるように取付け板９に溶接等で固着し、金属棒Cは、取付け板９に溶接等で固着している。取付け板９は、ネジ等で筒１の内側に固着している。
【００１１】
図２は、図１の側面図である。筒１の外側と、回転輪６は接触しており、モーター５の回転力によりベルト7で回転輪６に伝えられ、回転輪６が回転し、それにより筒１が回転駆動する。
【００１２】
図３は筒１の斜視図である。筒１の内部には、土付き根を引っ掛けて持ち上げるための鉤状の金属棒Ａを、投入口から、土付きの根を排出口へ導くための金属板Ｂを、持ち上げて落下した時、根を突き刺して土を分離しやすくするための金属棒Cをそれぞれ複数、螺旋状に配置している。
【００１３】
図４は本発明の第２の実施例である中心部に回転体１０がある土分離装置の構成を示す。
本発明の土分離装置は、円筒状の筒１の構成は、図１から図３の第１の実施例と同じ構成である。
筒１の中心部に回転体１０を設けその回転体１０の軸に対して任意の方向に長方形状の金属板Ｄや略直角方向に直線状の金属棒Ｅの突起物を溶接等で固着する。モーター５、回転輪６、ベルト7、ベルト８などで筒１と回転体１０を回転駆動させる。回転体１０は支持柱１２と架台４で支持している。
【００１４】
投入口３から竹などの土付き根を投入すると、投入された土付きの根が筒１へ入り、筒１が回転することにより、鉤状の金属棒Aに引っ掛けられて上に持ち上がり、鉤状の金属棒Aから外れ落ちて、金属棒Cに突き刺さり土と根が分離され、金属板Ｂにて土と根が分離されながら根は排出口１１へ導かれ、土は穴２から下に落ちる。また本発明の第２の実施例である中心部に回転体がある土分離装置は、筒１と、回転体に取り付けた金属板Ｄや金属棒Ｅの突起物を取り付けた回転体１０を同時に回転駆動させる事により、回転体に取り付けた金属板Ｄや金属棒Ｅに当たり、より早く、確実に、土と根が分離する。金属棒A、金属板Ｂ及び金属棒C等を螺旋状に配置することにより、少しずつ筒１の排出口１１に導く。本発明の第１と第２の実施例である土分離装置を確実に実施するため、土分離装置の投入口側を排出口側より高くして土付きの根を土と根に分離しながら、根を排出口へ導く。
【符号の説明】
【００１５】
１  筒
２  穴
３  投入口
４  架台
５  モーター
６  回転輪
７  ベルト
８  ベルト
９  取付け板
10  回転体
11  排出口
12  回転軸の支持柱
A  鉤状の金属棒
B  金属板
C  直線の金属棒
D  金属板
E  金属棒
【図１】
0005392660.tif 000002
【図２】
0005392660.tif 000003
【図３】
0005392660.tif 000004
【図４】
0005392660.tif 000005